(57)【要約】      （修正有）【課題】連結部の取り外しが簡単に行えて連結具合の調整が容易に可能な跳ね上げ眼鏡を提供する。【解決手段】眼鏡本体に取り付け可能な基礎幹部１と、基礎幹部１に回動且つ取り外し可能に取り付けられた補助眼鏡２とよりなる跳ね上げ眼鏡であって、補助眼鏡２を上方に回動させ基礎幹部１の一部と当接させて停止状態にし、更に、回動させることにより補助眼鏡２を基礎幹部１から取り外すものである跳ね上げ眼鏡であり、また、眼鏡本体の本体ブリッジ部に取り付け可能である跳ね上げ眼鏡Ａ。【選択図】図２
2013195853.tif 000002
【特許請求の範囲】
【請求項１】
眼鏡本体に取り付け可能な基礎幹部と、該基礎幹部に回動且つ取り外し可能に取り付けられた補助眼鏡とよりなる跳ね上げ眼鏡であって、補助眼鏡を上方に回動させ基礎幹部の一部と当接させて停止状態にし、更に、回動させることにより補助眼鏡を基礎幹部から取り外すものであることを特徴とする跳ね上げ眼鏡。
【請求項２】
眼鏡本体に取り付け可能な基礎幹部と、該基礎幹部に回動且つ脱着自在に取り付けられた補助眼鏡とよりなる跳ね上げ眼鏡であって、補助眼鏡のレンズ部に固定された補助ブリッジは中心孔と周囲に円周溝を有する左右一対のドーナツ状駒を備え、基礎幹部は、取り付け部とその両端から対向して伸びる一対の分岐部を備え、各分岐部は前記円周溝に嵌り込む立上がり部と該立上がり部に直行し前記中心孔に挿入される挿入部と、立上がり部と挿入部とを連絡する湾曲部とよりなり、補助眼鏡を上方に回動させ補助ブリッジの一部を基礎幹部の立上がり部に当接させた停止状態から更に回動を加え、補助ブリッジで立上がり部を押圧することにより、各挿入部をそれぞれ前記ドーナツ状駒の中心孔から離脱させて、補助眼鏡を基礎幹部から取り外すようにしたことを特徴とする跳ね上げ眼鏡。
【請求項３】
前記眼鏡本体の本体ブリッジ部に取り付け可能であることを特徴とする請求項１記載の跳ね上げ眼鏡。
【請求項４】
前記基礎幹部には、本体ブリッジ部に嵌り込む長溝を有する合成樹脂製のクリップが備わっていることを特徴とする請求項１記載の跳ね上げ眼鏡。
【請求項５】
前記補助眼鏡がルーペであることを特徴とする請求項１記載の跳ね上げ眼鏡。
【請求項６】
補助ブリッジの縦杆の先はレンズ部の小孔に挿通する挿通部と、該挿通部から曲がってレンズ部の端面に至る屈曲部と、該屈曲部から曲がってレンズ部の端面に沿って伸びる当接部とよりなることを特徴とする請求項１記載の跳ね上げ眼鏡。
【発明の詳細な説明】
【技術分野】
【０００１】
本発明は、眼鏡本体に取り付けられる複式跳ね上げ眼鏡に関し、更に詳しくは、補助眼鏡を回動させることにより基礎幹部から簡単に取り外すことができる複式跳ね上げ眼鏡に関する。
【背景技術】
【０００２】
眼鏡本体に取り付けて使用する別の独立した眼鏡、いわゆる前掛け眼鏡や補助眼鏡といわれる眼鏡が従前から市場に提供されている。
このような眼鏡は、老眼用、拡大用、遮光用等の目的で使用するが、必要時にのみに取り付けて、不必要時は取り外すものが多い。
【０００３】
例えば、特許文献１の補助眼鏡は眼鏡本体のヨロイ部に磁石力で取り付けるものであり、また特許文献２の補助眼鏡は、眼鏡本体のテンプルの先にある鈎状突起で補助眼鏡のヨロイに設けられたループを押さえ込むことで取り付けるものである。
しかし、使用しない時は、取り外しておくが、必要時には、また取り付ければならないため、極めて面倒である。
このようなことから、取り付けたままの状態で、不必要に対応して、上方に回動させて跳ね上げておくものが開発されている。
【０００４】
例えば、特許文献３の前掛け眼鏡は、常用眼鏡のブリッジ部に保持させておき、必要に応じて跳ね上げ状態にするものであり、
【０００５】
また特許文献４の前掛け眼鏡は、その弾性脚で眼鏡レンズを挟み込んで取り付けるもので、同様に不必要時に跳ね上げておくものである。
しかし、これらは跳ね上げる際の回動時にガタが生じ易く、また被い状態や跳ね上げ状態においても不安定となっている。
【０００６】
そのため、特許文献５のように補助眼鏡レンズを、直接、主眼鏡に回動自在に取り付けたもの、具体的には、レンズハンガーの先を主眼鏡のブローバーに設けられた特殊な固定駒に回動自在に連結する連結部（連結構造）を有するものが提供されている。
【０００７】
これは、特殊構造の固定駒にレンズハンガーの先を装着して補助眼鏡レンズを回動自在にするものなので、回動状態が極めて安定したものとなっている。
また被い状態や跳ね上げ状態においても安定しており、利便性に優れている。
しかし、これも跳ね上げを繰り返していると、使っているうちに、どうしても固定駒とレンズハンガーの先との連結構造にガタがくるようになる。
【０００８】
すなわち、連結部の回動抵抗が甘くなり（いわゆる「あがき」が悪くなる）、本来の的確な動きがしにくくなるのである。
このような場合に、レンズハンガーの先と固定駒との連結部の連結具合を調整しようとしても、主眼鏡から補助眼鏡を簡単に取り外すことができない。
すなわち、固定駒の環状溝に対する係合部の係合を解除し、更に支軸部を軸方向に移動させ固定駒の支持孔から抜き去って取り外すことが必要であり、指先の操作にも熟練を要する。
ペンチ、ヤットコ等の工具を使って取り外す場合にも、やはり熟練を要するだけでなく、このような工具を使うと主眼鏡や補助眼鏡に傷が付く危険もある。
【先行技術文献】
【特許文献】
【０００９】
【特許文献１】特開平１０−２８８７５９号公報
【特許文献２】特開平１１−１１９１７１号公報
【特許文献３】特開２００１−４９５９号公報
【特許文献４】特開２００８−９６５７９号公報
【特許文献５】特開２００６−３０８０７号公報
【発明の概要】
【発明が解決しようとする課題】
【００１０】
本発明はこのような技術的背景をもとになされたものである。
すなわち本発明の目的は、連結部の取り外しが簡単に行えて連結具合の調整が容易に可能な跳ね上げ眼鏡を提供することである。
【課題を解決するための手段】
【００１１】
上記課題を解決するために、鋭意、研究した結果、連結部において比較的強い回動力を与えることにより、外す力が作用する構造とすることで、上記問題点を解決することができることを見出し、この知見により、本発明を完成させたものである。
【００１２】
即ち、本発明は、（１）、眼鏡本体に取り付け可能な基礎幹部と、該基礎幹部に回動且つ取り外し可能に取り付けられた補助眼鏡とよりなる跳ね上げ眼鏡であって、補助眼鏡を上方に回動させ基礎幹部の一部と当接させて停止状態にし、更に、回動させることにより補助眼鏡を基礎幹部から取り外すものである跳ね上げ眼鏡に存する。
【００１３】
また、本発明は、（２）、眼鏡本体に取り付け可能な基礎幹部と、該基礎幹部に回動且つ脱着自在に取り付けられた補助眼鏡とよりなる跳ね上げ眼鏡であって、補助眼鏡のレンズ部に固定された補助ブリッジは中心孔と周囲に円周溝を有する左右一対のドーナツ状駒を備え、基礎幹部は、取り付け部とその両端から対向して伸びる一対の分岐部を備え、各分岐部は前記円周溝に嵌り込む立上がり部と該立上がり部に直行し前記中心孔に挿入される挿入部と、立上がり部と挿入部とを連絡する湾曲部とよりなり、補助眼鏡を上方に回動させ補助ブリッジの一部を基礎幹部の立上がり部に当接させた停止状態から更に回動を加え、補助ブリッジで立上がり部を押圧することにより、各挿入部をそれぞれ前記ドーナツ状駒の中心孔から離脱させて、補助眼鏡を基礎幹部から取り外すようにした跳ね上げ眼鏡に存する。
【００１４】
また、本発明は、（３）、前記眼鏡本体の本体ブリッジ部に取り付け可能である上記（１）記載の跳ね上げ眼鏡に存する。
【００１５】
また、本発明は、（４）、前記基礎幹部には、本体ブリッジ部に嵌り込む長溝を有する合成樹脂製のクリップが備わっている上記（１）記載の跳ね上げ眼鏡
に存する。
【００１６】
また、本発明は、（５）、前記補助眼鏡がルーペである上記（１）記載の跳ね上げ眼鏡に存する。
【００１７】
また、本発明は、（６）、補助ブリッジの縦杆の先はレンズ部の小孔に挿通する挿通部と、該挿通部から曲がってレンズ部の端面に至る屈曲部と、該屈曲部から曲がってレンズ部の端面に沿って伸びる当接部とよりなる上記（１）記載の跳ね上げ眼鏡に存する。
【００１８】
なお、本発明の目的に沿ったものであれば上記（１）〜（６）を適宜組み合わせた構成も採用可能である。
【発明の効果】
【００１９】
本発明の跳ね上げ眼鏡Ａは、眼鏡本体３の本体ブリッジ部３１に取り付け可能な基礎幹部１と、該基礎幹部１に回動且つ取り外し可能に取り付けられた補助眼鏡２であり、補助眼鏡２を上方に回動させ基礎幹部１の一部と当接させて停止状態にし、更に、回動させることにより補助眼鏡２を基礎幹部１から取り外すものであるので、取り外しが単純な操作で行えて連結状態の調整も容易である。
更には、補助眼鏡２の種類を簡単に取り替えられる利点もある。
【００２０】
また補助ブリッジ２２で基礎幹部１の立上がり部１２を押圧することにより、挿入部１３（１３Ａ，１３Ｂ）をそれぞれ前記ドーナツ状駒２２Ｃの中心孔２２Ｃ１から離脱させるので、回動力が、直線移動力に有効に変換されて補助眼鏡２が基礎幹部１から外れる。
基礎幹部１には、本体ブリッジ部３１に嵌り込む長溝を有する合成樹脂製のクリップが備わっているので、取り付けが簡単である上、補助眼鏡２の補助ブリッジにも傷が付かない。
【００２１】
補助ブリッジ２２の縦杆２２Ａの先が、レンズ部２１のレンズ小孔Ｈに挿通する挿通部Ｐ１と、該挿通部Ｐ１から曲がってレンズ部２１の端面に至る屈曲部Ｐ２と、該屈曲部Ｐ２から曲がってレンズ部２１の端面に沿って伸びる当接部Ｐ３とよりなることで、挿通部Ｐ１と屈曲部Ｐ２とによる締め付け力や、また当接部Ｐ３がレンズ部２１の端面に沿ってそれを圧接する圧接保持力が発揮され、レンズ部２１は補助ブリッジ２２に確実に固定される。
また挿通部Ｐ１、屈曲部Ｐ２と当接部Ｐ３との角度関係を変えることにより煽り角度の調整も可能である。
【図面の簡単な説明】
【００２２】
【図１】図１は、本発明の実施形態を示す跳ね上げ眼鏡の被い状態での正面図である。
【図２】図２は、跳ね上げ眼鏡の被い状態での補助眼鏡と基礎幹部とを分離させた状態を示す正面図である。
【図３】図３は、本発明の実施形態を示す跳ね上げ眼鏡の跳ね上げ状態での正面図である。
【図４】図４は、跳ね上げ眼鏡の跳ね上げ状態での補助眼鏡と基礎幹部とを分離させた状態を示す正面図である。
【図５】図５は、跳ね上げ眼鏡が本体レンズ部を被うように取り付けられた状態を示す斜視図である。
【図６】図６は、跳ね上げ眼鏡を上方に回動させて跳ね上げた状態を示す斜視図である。
【図７】図７は補助眼鏡の補助ブリッジと基礎幹部を拡大して示す斜視図である。
【図８】図８は、補助眼鏡の補助ブリッジに基礎幹部が取り付けられた状態で補助眼鏡が最下位置にある状態を示し、（Ａ）は斜視図、（Ｂ）は、側面図である。
【図９】図９はその補助眼鏡の跳ね上げ停止状態における補助眼鏡の補助ブリッジと基礎幹部の関係を示す図であり、（Ａ）は斜視図、（Ｂ）は、側面図である。
【図１０】図１０は湾曲部が分力を受けて挿入部と共に外方に移動する状態を示す図であり、（Ａ）は斜視図、（Ｂ）は、側面図である。
【図１１】図１１は補助眼鏡の補助ブリッジが基礎幹部から離脱した状態を示す図である。
【図１２】図１２は、補助眼鏡のレンズ部に補助ブリッジを取り付ける前の状態におけるレンズ部の一部を拡大して示す図である。
【図１３】図１３は、補助眼鏡のレンズ部に補助ブリッジが取り付けられた状態におけるレンズ部の一部を拡大して示す図であり、（Ａ）は、正面図、（Ｂ）は側面図である。
【発明を実施するための形態】
【００２３】
以下、必要に応じて図面を参照しつつ、本発明の好適な実施形態について詳細に説明する。
【００２４】
（第１の実施の形態） 
図１は、本発明の実施形態を示す跳ね上げ眼鏡Ａの正面図である。
本発明の跳ね上げ眼鏡Ａは、図示しない眼鏡本体３に取り付けて使用するためのもので、必要でない時は取り外しておくことができる。
また、跳ね上げ眼鏡Ａは、基礎幹部１と補助眼鏡２とよりなり、基礎幹部１は、眼鏡本体３、詳しくは、眼鏡本体３の本体ブリッジ部３１に取り付け可能な部分であり、補助眼鏡２は、この基礎幹部１に回動且つ取り外し可能に取り付けられている。
従って、補助眼鏡２と基礎幹部１とは、後述するようにある操作を行うことで、互いに分離させることができる。
【００２５】
図２は、跳ね上げ眼鏡Ａの被い状態での補助眼鏡２と基礎幹部１とを分離させた状態を示す正面図である。
なお参考までに図３及び図４に跳ね上げ眼鏡Ａの跳ね上げ状態での正面図、及び補助眼鏡２と基礎幹部１とを分離させた状態の正面図を示す。
【００２６】
跳ね上げ眼鏡Ａは、眼鏡本体３の本体レンズ部３２に沿って被うように取り付けられた状態（図５参照）から、上方に回動させて跳ね上げておくことにより（図６参照）、簡単に使用する状態から使用しない状態に切り替えられる。
【００２７】
例えば、跳ね上げ眼鏡Ａが、図のようなルーペであると、細かい字を読むときは、眼鏡本体３に沿って被うようにしておき、通常時は上方に回動させて跳ね上げておけばよい。
回動させていくと、補助眼鏡２の縦杆２２Ａが基礎幹部１の分岐部１Ａの湾曲部１４に当接して一旦停止状態となり、跳ね上げた補助眼鏡が額などに当たるのを防げる。
また、跳ね上げ眼鏡Ａを全く使用しない場合は、眼鏡本体３から取り外しておく。
本発明の跳ね上げ眼鏡Ａは、眼鏡本体３に取り付けた状態で、後述するように補助眼鏡２を上方に回動させ基礎幹部１の一部と当接させて停止状態にし、この状態から更に、強く回動させることにより補助眼鏡２を基礎幹部１から簡単に取り外すことができるという大きな特徴がある。
或いは眼鏡本体３から取り外した状態でも同様なことができるという特徴がある。
【００２８】
次に跳ね上げ眼鏡Ａの基礎幹部１と補助眼鏡２について更に詳しく述べる。
補助眼鏡２は、レンズ部２１とこれに固定されたコ字状綱線の補助ブリッジ２２とよりなる。
【００２９】
図７は、補助眼鏡２の補助ブリッジ２２と基礎幹部１を拡大して示す斜視図である。
なお、レンズ部２１や基礎幹部１における取り付け部１Ｂのクリップは、省略して示した。
この補助ブリッジ２２は、レンズ部２１に固定される側である左右の縦杆２２Ａを連絡する横杆２２Ｂよりなる。
各縦杆２２Ａはドーナツ状駒２２Ｃを備えており、このドーナツ状駒２２Ｃは、その中心に形成された中心孔２２Ｃ１とその外周に形成された円周溝２２Ｃ２を有する。
【００３０】
一方、基礎幹部１は、コ字状綱線よりなり眼鏡本体３への取り付けのための部分である取り付け部１Ｂと、該取り付け部１Ｂの両端から互いに対向して伸びる一対の分岐部１Ａを備えている。
この分岐部１Ａの先は自由端となっており、この自由端は、前記ドーナツ状駒２２Ｃへ取り付け又は取り外しできる特有の形状となっている。
【００３１】
すなわち、基礎幹部１の各分岐部の先は、立上がり部１２と、該立上がり部１２に対して直行する挿入部１３（１３Ａ，１３Ｂ）と、該挿入部１３（１３Ａ，１３Ｂ）と立上がり部１２とを連絡する半輪状の湾曲部１４とを有する。
この湾曲部１４は略半円状となっておりバネ力を発揮する部分である。
ここで基礎幹部１の各分岐部１Ａ、１Ａの先の各挿入部１３（１３Ａ，１３Ｂ）は同じ方向（すなわち一方方向）に向いている。
【００３２】
そのため、補助眼鏡２に基礎幹部１を取り付けるには、図７に示すとおり、補助眼鏡２のドーナツ状駒２２Ｃの各中心孔２２Ｃ１に向けて基礎幹部１の一方の分岐部１Ａの挿入部１３（１３Ａ，１３Ｂ）Ａと他方の分岐部１Ａの挿入部１３Ｂを位置決めし、各分岐部１Ａをそのまま横にスライドさせる。
そして、挿入部１３Ａ、挿入部１３Ｂを各中心孔２２Ｃ１に強く押し入れると、各ドーナツ状駒２２Ｃが各湾曲部１４を弾圧的に乗り越えて半輪の中に入り込む。
これと同時に立上がり部１２がドーナツ状駒２２Ｃの円周溝２２Ｃ２に嵌り込む。
これで補助眼鏡２に基礎幹部１が取り付けられて安定した回動ができる状態となる。
【００３３】
図８レンズは、補助眼鏡２に基礎幹部１が取り付けられた状態で補助眼鏡２が最下位置にある状態を示す。
図８（Ａ）は斜視図、図８（Ｂ）は側面図である。
最下位置においては、補助眼鏡２の縦杆２２Ａが基礎幹部１の分岐部１Ａの立上がり部１２に当接されている。
この状態では、補助眼鏡２の中心孔２２Ｃ１に挿入された基礎幹部１の挿入部１３（１３Ａ，１３Ｂ）が軸となって、補助眼鏡２が基礎幹部１に対して回動する（換言すれば基礎幹部１が補助眼鏡２に対して回動する）。
しかし基礎幹部１の立上がり部１２が補助眼鏡２のドーナツ状駒２２Ｃの円周溝２２Ｃ２に嵌り込んでいるので、回動する際、横振れ等が全くなく動きがスムーズに行える。
【００３４】
次に、基礎幹部１と補助眼鏡２との相互の回動作用について更に詳しく述べる。
一方側のドーナツ状駒２２Ｃに着目すると、補助眼鏡２に基礎幹部１が取り付けられ、基礎幹部１の立上がり部１２に補助眼鏡２の補助ブリッジ２２部の縦杆２２Ａが当接した状態（図８の状態）にあるとする。
この状態では、跳ね上げ眼鏡Ａを眼鏡本体３に取り付けた場合において、跳ね上げ眼鏡Ａが眼鏡本体３の本体レンズ部３２に沿って被うような位置にある。
ここで補助眼鏡２を基礎幹部１に対して上方（図でいう時計回り）に回動させていくと、補助眼鏡２の縦杆２２Ａが基礎幹部１の分岐部１Ａの湾曲部１４に当接して一旦停止状態となる。
【００３５】
図９は、その停止状態における補助眼鏡２と基礎幹部１の関係を示す図であり、図９（Ａ）は斜視図、図９（Ｂ）は側面図である。
この停止状態から更に強く回動させると補助眼鏡２の縦杆２２Ａが基礎幹部１の湾曲部１４の内側に沿ってスライドするので、湾曲部１４は分力を受けて挿入部１３Ａと共に外方に移動する（図１０参照）。
縦杆２２Ａの回動力が、分岐部１Ａの直線移動力に有効に変換される。
【００３６】
図１０は、その外方に移動する状態における補助眼鏡２と基礎幹部１の関係を示す図であり、図１０（Ａ）は斜視図、図１０（Ｂ）は側面図である。
【００３７】
挿入部１３Ａが中心孔２２Ｃ１から抜けると同時に立上がり部１２がドーナツ状駒２２Ｃの円周溝２２Ｃ２から外れ、その結果、補助眼鏡２は基礎幹部１から離脱する（図１１参照）。
次に他方側のドーナツ状駒２２Ｃに着目すると、上述と同様に、補助眼鏡２に基礎幹部１が取り付けられた状態にあるとする。
【００３８】
いま、補助眼鏡２を基礎幹部１に対して上方に回動させると補助眼鏡２の縦杆２２Ａが基礎幹部１の分岐部の湾曲部１４に当接して一旦停止する。
そして更に強く回動させると補助眼鏡２の縦杆２２Ａが基礎幹部１の湾曲部１４の外側に沿ってスライドするので、湾曲部１４が分力を受けて挿入部１３Ｂと共に内方に移動する。
縦杆２２Ａの回動力が、分岐部１Ａの直線移動力に有効に変換されることとなる。
そのため挿入部１３Ｂが中心孔２２Ｃ１から抜けると同時に立上がり部１２がドーナツ状駒２２Ｃの円周溝２２Ｃ２から外れ、補助眼鏡２は基礎幹部１から離脱する。
【００３９】
上述したように補助眼鏡２を基礎幹部１に対して停止状態から比較的強く回動させることにより、補助眼鏡２が基礎幹部１に対して水平に横移動し、補助眼鏡２の左右の挿入部１３Ａ、１３Ｂは基礎幹部１の左右の中心孔２２Ｃ１から離脱して補助眼鏡２が基礎幹部１から外れることとなる。
このような単純な「回動」という操作を行うことで、補助眼鏡２は基礎幹部１から外れる。
そして停止状態を経ることにより外す際のきっかけを感知でき極めて有用である。
【００４０】
ところで基礎幹部１は、眼鏡本体３への取り付けのための部分である取り付け部１Ｂを備えていることは先述した。
この取り付け部１Ｂとしては種々の態様があるが、図１〜４にあるようなプラスチック製のクリップＦを備えていることが好ましい。
このプラスチック製のクリップＦは、ややカーブした直方体形状をしており、取り付け相手となる眼鏡本体３の本体ブリッジ部３１に沿って嵌り込むような長溝Ｇを備えている。
【００４１】
基礎幹部１と補助眼鏡２とが一体となった状態の跳ね上げ眼鏡Ａは、基礎幹部１の取り付け部１Ｂのところを眼鏡本体３の本体ブリッジ部３１に押し込むとプラスチック製のクリップＦが嵌り込んで弾圧的に取り付けられる。
そのため本体ブリッジ部に傷が付かない。
また取り付け取り外しを繰り返すことによりクリップの取り付け力が低下した場合のために、クリップは交換できるようにすることが好ましい。
ところで、跳ね上げ眼鏡Ａを使っているうちに、基礎幹部１と補助眼鏡２との間の回動抵抗が甘くなって連結具合が悪くなる場合が生じたとする。
【００４２】
ここで補助眼鏡２と基礎幹部１との連結具合を調節したい場合は、跳ね上げ眼鏡Ａの補助眼鏡２を上方に回動させ、補助眼鏡２の縦杆２２Ａが基礎幹部１の一部である湾曲部１４と当接し停止状態となるまで動かす。
更に強く回動させて補助眼鏡２の縦杆２２Ａを基礎幹部１の湾曲部１４の内側或いは外側に沿ってスライドさせ、湾曲部１４を外方或いは内方に移動させて、挿入部１３（１３Ａ，１３Ｂ）を中心孔２２Ｃ１から離脱させる。
このように補助眼鏡２と基礎幹部１とを分離させた後、基礎幹部１の分岐部１Ａの先である立上がり部１２と挿入部１３（１３Ａ，１３Ｂ）と湾曲部１４との相互の歪み形状を修正して連結具合（すなわち回動具合）を調整する。
【００４３】
本発明の跳ね上げ眼鏡Ａにおいては、このように補助眼鏡２と基礎幹部１とを、一旦停止させた後の「回動」という単純な操作により取り外すことができる。
そのため連結具合の調整が必要な時は、いつでも調整することができる。
また補助眼鏡２を基礎幹部１を介して眼鏡本体３に取り付けるようにしたので、眼鏡本体側に補助眼鏡２に対応する特殊構造は必要としない。
基礎幹部１に対して取り外しできる種々の補助眼鏡２、例えば、実施形態で挙げたルーペ、サングラス眼鏡、老眼鏡等を用意しておけば、眼鏡本体３に汎用的に、それらの各種眼鏡が選択自在に使用できる。
【００４４】
最後に、補助眼鏡２のレンズ部２１と補助ブリッジ２２との固定構造について述べると、図１２は、レンズ部２１に補助ブリッジ２２が固定される前の状態を示し、図１３は、レンズ部２１に補助ブリッジ２２が固定された状態におけるレンズ部２１の一部を拡大して示す図であり、図１３（Ａ）は、図１３正面図、（Ｂ）は側面図である
【００４５】
ここで示すレンズ部はルーペの例であり、詳しくは、レンズ部２１は実質レンズの周囲に延長部２１Ａが形成され、この延長部２１Ａに補助ブリッジ２２が固定される態様となっている。
この延長部２１Ａがあるためレンズ部の加工に自由度ができ、補助ブリッジ２２との配設関係が調整し易い。
補助ブリッジ２２の各縦杆２２Ａの先は、レンズ部２１のレンズ小孔Ｈに貫挿された挿通部Ｐ１と、該挿通部から曲がってレンズ部２１の端面に至る屈曲部Ｐ２と、該屈曲部から曲がってレンズ部２１の端面に沿って伸びる当接部Ｐ３よりなる。
挿通部Ｐ１と屈曲部Ｐ２とによる締め付け力と、また当接部Ｐ３がレンズ部２１の端面に沿ってそれを圧接する圧接保持力により、レンズ部２１は補助ブリッジ２２に確実に固定される。
一方、挿通部Ｐ１屈曲部Ｐ２と当接部Ｐ３との角度関係を変えることにより煽り角度の調整も可能である。
【００４６】
以上、本発明をその実施の形態を例に説明したが、本発明は、その本質に変更のない限り、実施の形態のみに限定されるものではなく多様な変形例が可能である。
例えば、基礎幹部１の取り付け部１Ｂの形状は、眼鏡本体３の本体ブリッジ部３１に取り付けられるものであれば、変更可能であり、それに備わっているクリップＦの構造も変更可能である。
また、補助眼鏡２のレンズ部２１と補助ブリッジ２２との固定構造は、種々の態様があり、当然、実施の形態に限定されるものではない。
【産業上の利用可能性】
【００４７】
本発明の跳ね上げ眼鏡Ａは、補助眼鏡２を上方に強く回動させ補助眼鏡２を基礎幹部１から取り外すことができるので、この原理を適用できる限り、種々の補助眼鏡２に応用することができる。
【符号の説明】
【００４８】
１・・・基礎幹部
１Ａ・・分岐部
１Ｂ・・・取り付け部
１２・・・立上がり部
１３Ａ、１３Ｂ・・・挿入部
１４・・湾曲部
２・・・補助眼鏡
２１・・・レンズ部
２１Ａ・・・延長部
２２・・・補助ブリッジ
２２Ａ・・・縦杆
２２Ｂ・・・横杆
２２Ｃ・・・ドーナツ状駒
２２Ｃ１・・・中心孔
２２Ｃ２・・・円周溝
３・・・眼鏡本体
３１・・・本体ブリッジ部
３２・・・本体レンズ部
Ｆ・・・クリップ
Ｇ・・・長溝
Ｈ・・・レンズ小孔
Ｐ１・・・挿通部
Ｐ２・・・屈曲部
Ｐ３・・・当接部
【図１】
2013195853.tif 000003
【図２】
2013195853.tif 000004
【図３】
2013195853.tif 000005
【図４】
2013195853.tif 000006
【図５】
2013195853.tif 000007
【図６】
2013195853.tif 000008
【図７】
2013195853.tif 000009
【図８】
2013195853.tif 000010
【図９】
2013195853.tif 000011
【図１０】
2013195853.tif 000012
【図１１】
2013195853.tif 000013
【図１２】
2013195853.tif 000014
【図１３】
2013195853.tif 000015